(57)【要約】【課題】本発明は、熱交換器のヘッダ部内を経由した流速の速い外気のプロペラへの流入を抑制することで、ＮＺ音の発生を抑制することの可能な室外機ユニットを提供することを目的とする。【解決手段】外気流通部本体２７Ａに形成され、鉛直方向に延びる第１の分断部２７Ｂを含む外気流通部２７、及び第１の分断部２７Ｂを塞ぐカバー部３４を有する筐体と、第１の分断部２７Ｂと対向する位置に鉛直方向に延びて形成された第２の分断部４７を含む熱交換部４１、及び第２の分断部４７に鉛直方向に延びて配置されたヘッダ部４２を有する熱交換器１４と、外気流通部２７及び熱交換部４１の上端に配置され、開口部が形成された天板と、外気を外部に吹き出させる軸流ファン１８，１９と、ヘッダ部４２よりも内側に配置され、第２の分断部４７の両端を接続するとともに、天板の下面から下方に延びる遮蔽板２３と、を備える。【選択図】図２
2019219136.tif 000002
【特許請求の範囲】
【請求項１】
内側に中空部を形成し、鉛直方向に延びる筒状とされ、外気を流通可能な外気流通部本体、及び前記鉛直方向に延びて前記外気流通部本体に形成され、該外気流通部本体を分断する第１の分断部を含む外気流通部と、前記第１の分断部を塞ぐカバー部と、を有する筐体と、
前記外気流通部の内周面と接触して配置され、前記外気と冷媒とを熱交換させるとともに、前記第１の分断部と対向する位置に前記鉛直方向に延びる第２の分断部を含む熱交換部と、前記第２の分断部に前記鉛直方向に延びて配置され、前記熱交換部に前記冷媒を供給、並びに前記熱交換部から前記冷媒を回収するヘッダ部と、を有する熱交換器と、
前記外気流通部の上端、及び前記熱交換部の上端に配置され、前記外気流通部から取り込んだ前記外気を外部に導出させる開口部が形成された天板と、
前記鉛直方向において前記開口部と対向するプロペラを有するとともに、前記開口部を介して、前記冷媒と熱交換した前記外気を外部に吹き出させる軸流ファンと、
前記ヘッダ部よりも内側に配置され、前記第２の分断部の両端を接続するとともに、前記天板の下面から下方に延びる遮蔽板と、
を備える室外機ユニット。
【請求項２】
前記遮蔽板の内面及び外面の形状は、前記プロペラの回転軸を中心とする円に沿う湾曲形状である請求項１記載の室外機ユニット。
【請求項３】
前記熱交換器は、前記熱交換部として第１及び第２の熱交換部を有しており、
前記ヘッダ部は、前記第１及び第２の熱交換部に対して共通のヘッダ部である請求項１または２記載の室外機ユニット。
【請求項４】
前記プロペラの下部は、前記天板の下面よりも下方配置されており、
前記遮蔽板は、前記鉛直方向に対して直交する方向において前記プロペラの下部と対向する請求項１から３のうち、いずれか一項記載の室外機ユニット。
【請求項５】
前記プロペラの下端は、前記天板の下面よりも上方に配置されている請求項１から３のうち、いずれか一項記載の室外機ユニット。
【発明の詳細な説明】
【技術分野】
【０００１】
本発明は、室外機ユニットに関する。
【背景技術】
【０００２】
室外機ユニットのうちの１つとして、側面から吸い込んだ外気を熱交換後に、天板を介して、上方に吹き出す上吹き出し型の室外機ユニットがある（例えば、特許文献１参照）。
【０００３】
特許文献１には、上記構成とされた室外機ユニットにおいて、送風ファンの回転数と羽根枚数との積を基本周波数とする強い離散周波数音（以下、「ＮＺ音」という）を低減させることで、聴感上の不快感を低減させることを目的とした技術が開示されている。
具体的には、特許文献１には、ファン翼面と乱れた気流との衝突を抑制する観点から、ケーシングのコーナー部に、吸い込み気流をファンの空気吸い込み口方向に滑らかに導く整流ガイドを設けることが開示されている。
【０００４】
上吹き出し型の室外機ユニットの一例として、熱交換部、熱交換部の両端に配置された分断部、及びヘッダ部を有する熱交換器と、外気を流通可能な外気流通部、及びヘッダ部の外面を囲むカバー部を有する筐体と、開口部が形成された天板と、軸流ファンと、を備えたものがある。
熱交換部は、内側に中空部を形成するように配置されている。熱交換部は、内部を流れる冷媒と外気とを熱交換させる。ヘッダ部は、鉛直方向に延びており、熱交換部に冷媒を供給及び冷媒を回収可能な状態で熱交換部と接続されている。
外気流通部は、熱交換部の外面を囲むように配置されている。カバー部は、外気流通部の外面に設けられている。天板は、熱交換部の上端に配置されている。軸流ファンは、開口部を介して、熱交換に寄与した外気を外部に吹き出させる。
【先行技術文献】
【特許文献】
【０００５】
【特許文献１】特開２００６−３８３１２号公報
【発明の概要】
【発明が解決しようとする課題】
【０００６】
ところで、上述したカバー部を備えた上吹き出し型の室外機ユニットの場合、カバー部の横方向に位置する外気流通部から流入した外気は、ヘッダ部内を上方に向かって流通した後、天板の下面に案内されて軸流ファンのプロペラに向かう方向に速い流速で流れる。
一方、カバー部から離れた領域に位置する外気流通部からプロペラの半径方向に流れる外気の流速は、ヘッダ部内を上方に向かって流通した外気の流速よりも遅い。
このため、プロペラの径方向外側からプロペラの中心に向かって流れ込む外気の流速に差が生じ、流速の不連続な領域が形成されることで、ＮＺ音が発生してしまうという問題があった。
【０００７】
特許文献１に開示された整流ガイドは、吸い込み気流をプロペラの空気吸い込み口方向に滑らかに導くためのものであり、ヘッダ部及びカバー部に起因するＮＺ音の発生の抑制を考慮したものではないため、上記課題を解決することは困難である。
【０００８】
そこで、本発明は、熱交換器のヘッダ部内を経由した流速の速い外気のプロペラへの流入を抑制することで、ＮＺ音の発生を抑制することの可能な室外機ユニットを提供することを目的とする。
【課題を解決するための手段】
【０００９】
上記課題を解決するため、本発明の一態様に係る室外機ユニットは、内側に中空部を形成し、鉛直方向に延びる筒状とされ、外気を流通可能な外気流通部本体、及び前記鉛直方向に延びて前記外気流通部本体に形成され、該外気流通部本体を分断する第１の分断部を含む外気流通部と、前記第１の分断部を塞ぐカバー部と、を有する筐体と、前記外気流通部の内周面と接触して配置され、前記外気と冷媒とを熱交換させるとともに、前記第１の分断部と対向する位置に前記鉛直方向に延びる第２の分断部を含む熱交換部と、前記第２の分断部に前記鉛直方向に延びて配置され、前記熱交換部に前記冷媒を供給、並びに前記熱交換部から前記冷媒を回収するヘッダ部と、を有する熱交換器と、前記外気流通部の上端、及び前記熱交換部の上端に配置され、前記外気流通部から取り込んだ前記外気を外部に導出させる開口部が形成された天板と、前記鉛直方向において前記開口部と対向するプロペラを有するとともに、前記開口部を介して、前記冷媒と熱交換した前記外気を外部に吹き出させる軸流ファンと、前記ヘッダ部よりも内側に配置され、前記第２の分断部の両端を接続するとともに、前記天板の下面から下方に延びる遮蔽板と、を備える。
【００１０】
本発明によれば、ヘッダ部よりも内側に配置され、第２の分断部の両端を接続するとともに、天板の下面から下方に延びる遮蔽板を有することで、カバー部の横方向に位置する外気流通部から流入し、ヘッダ部内を上方に向かって流れた後、天板の下面に案内されてプロペラに向かう方向（プロペラの半径方向）に流れる流速の速い外気をプロペラの前段で遮断することが可能となる。
これにより、プロペラの径方向外側からプロペラの中心に向かって流れ込む外気の流速に差が生じることを抑制することが可能となるので、ＮＺ音の発生を抑制することができる。
【００１１】
また、上記本発明の一態様に係る室外機ユニットにおいて、前記遮蔽板の内面及び外面の形状は、前記プロペラの回転軸を中心とする円に沿う湾曲形状であってもよい。
【００１２】
このように、遮蔽板の内面及び外面の形状をプロペラの回転軸を中心とする円に沿う湾曲形状とすることが好ましい。
【００１３】
また、上記本発明の一態様に係る室外機ユニットにおいて、前記熱交換器は、前記熱交換部として第１及び第２の熱交換部を有しており、前記ヘッダ部は、前記第１及び第２の熱交換部に対して共通のヘッダ部であってもよい。
【００１４】
このように、第１及び第２の熱交換部に共通のヘッダ部として１つのヘッダ部を用いることで、第２の分断部、カバー部、及び遮蔽板をそれぞれ２つ設ける必要がなく、第２の分断部、カバー部、及び遮蔽板をそれぞれ１つのみ設ければよいため、室外機ユニットの構成を簡略化させることができる。また、室外機ユニットの構成が簡略化されることで、室外機ユニットのコストを低減することができる。
【００１５】
また、上記本発明の一態様に係る室外機ユニットにおいて、前記プロペラの下部は、前記天板の下面よりも下方配置されており、前記遮蔽板は、前記鉛直方向に対して直交する方向において前記プロペラの下部と対向してもよい。
【００１６】
このように、鉛直方向に対して直交する方向においてプロペラの下部と遮蔽板とを対向させることで、プロペラの下部に向かって流れる流速の速い外気を遮蔽板により遮断させることができる。
【００１７】
また、上記本発明の一態様に係る室外機ユニットにおいて、前記プロペラの下端は、前記天板の下面よりも上方に配置されていてもよい。
【００１８】
このように、プロペラの下端が天板の下面よりも上方に配置されている場合、遮蔽板により、流速の速い外気がプロペラに向かう方向に流れることを遮断させることができる。
【発明の効果】
【００１９】
本発明によれば、熱交換器のヘッダ部内を経由した流速の速い外気のプロペラへの流入を抑制することで、ＮＺ音の発生を抑制することができる。
【図面の簡単な説明】
【００２０】
【図１】本発明の第１の実施形態に係る室外機ユニットの外観を示す斜視図である。
【図２】図１に示す室外機ユニットから天板及び天板に固定された軸流ファンを取り外した状態を上面視した図である。
【図３】図１に示す筐体本体の斜視図である。
【図４】第１の実施形態に係る室外機ユニットを構成する天板及び天板に固定された軸流ファンの斜視図である。
【図５】図２に示す室外機ユニットの構成要素のうち、遮蔽板と天板及び熱交換部との位置関係を説明するための図であり、図２に示すＡ方向から遮蔽板、天板、第１の熱交換部、及び第２の熱交換部を視た側面図である。
【図６】図５に示す構造体を上下反転させた後、第１及び第２の熱交換部の内側から遮蔽板を視た模式的な斜視図である。
【図７】本発明の第１の実施形態の変形例に係る室外機ユニットの主要部の斜視図である。
【図８】本発明の第２の実施形態に係る室外機ユニットの外観を示す斜視図である。
【図９】第２の実施形態に係る室外機ユニットを構成する天板及び天板に固定された軸流ファンの斜視図である。
【発明を実施するための形態】
【００２１】
（第１の実施形態）
図１〜図６を参照して、第１の実施形態の室外機ユニット１０について説明する。図１〜図４及び図６において、Ｘは室外機ユニット１０の幅方向、Ｙ方向はＸ方向に対して直交する室外機ユニット１０の奥行方向をそれぞれ示している。図１〜図６において、Ｚ方向はＸ方向及びＹ方向に対して直交する鉛直方向（室外機ユニット１０の高さ方向）を示している。
図２において、Ｏ１はプロペラ１８Ｃの回転軸（以下、「回転軸Ｏ１」という）、Ｏ２はプロペラ１８Ｃの回転軸（以下、「回転軸Ｏ２」という）をそれぞれ示している。図５及び図６において、Ｈ１はＺ方向における遮蔽板２３の高さ（以下、「高さＨ１」という）を示している。図１〜図６に示す構造体において、同一構成部分には同一符号を付す。
【００２２】
室外機ユニット１０は、筐体１１と、熱交換器１４と、天板１６と、軸流ファン１８，１９と、遮蔽板２３と、を有する。
筐体１１は、カバー部３４を含む筐体本体２５と、外気流通部２７と、を有する。
筐体本体２５は、機器収容部３１と、脚部３３と、カバー部３４と、枠部材３６，３７と、支持部材３８，３９と、を有する。
【００２３】
機器収容部３１は、箱型形状とされており、４つの角部を有する。機器収容部３１は、その内部に圧縮機、四方切換え弁、水熱交換器、膨張弁、冷媒配管、水配管、及び水循環ポンプ（全て図示せず）等を収容している。
【００２４】
脚部３３は、機器収容部３１の下面側に固定されており、機器収容部３１を支持している。
カバー部３４は、機器収容部３１の４つの角部のうち、１つの角部の上面（機器収容部３１の上面３１ａ）に設けられている。カバー部３４は、機器収容部３１の上面３１ａから上方に延びたＬ字形状の板材である。
カバー部３４は、機器収容部３１上に配置された外気流通部２７の第1の分断部２７Ｂを塞ぐように配置されている。
【００２５】
枠部材３６は、Ｘ方向一方側に位置する機器収容部３１の上面３１ａの外周部から上方に延びて設けられている。枠部材３６は、カバー部３４と一体に構成されている。
枠部材３６の上端面３６ａの高さは、カバー部３４の上端面３４ａの高さと等しくなるように構成されている。
【００２６】
枠部材３７は、Ｘ方向他方側に位置する機器収容部３１の上面３１ａの外周部から上方に延びて配置されている。枠部材３７は、Ｘ方向において枠部材３６と対向している。
枠部材３７の上端面３７ａの高さは、カバー部３４の上端面３４ａの高さと等しくなるように構成されている。
【００２７】
支持部材３８は、Ｙ方向一方側に位置する機器収容部３１の上面３１ａの外周部の中央から上方に延びて配置されている。支持部材３８は、棒状の支持部材である。
支持部材３８の上端面３８ａの高さは、カバー部３４の上端面３４ａの高さと等しくなるように構成されている。
【００２８】
上記構成とされた枠部材３６，３７、及び支持部材３８，３９は、Ｘ方向及びＹ方向における外気流通部２７の位置を規制する機能を有する。
【００２９】
外気流通部２７は、外気流通部本体２７Ａと、第１の分断部２７Ｂと、を有しており、機器収容部３１の上面に配置されている。
外気流通部本体２７Ａは、Ｚ方向に延びる筒状とされている。外気流通部本体２７Ａは、内側に中空部２７Ｃが形成されている。外気流通部本体２７Ａは、外気を流通可能な構成とされている。
【００３０】
外気流通部本体２７Ａは、内周面２７Ａａと、外周面２７Ａｂと、上端面２７Ａｃと、を有する。外周面２７Ａｂは、外気流通部本体２７Ａの外側に配置されたカバー部３４、枠部材３６，３７、及び支持部材３８，３９と接触している。カバー部３４、枠部材３６，３７、及び支持部材３８，３９は、ねじ等により、外気流通部本体２７Ａに固定されている。
上端面２７Ａｃの高さは、カバー部３４の上端面３４ａの高さと等しくなるように構成されている。
【００３１】
熱交換器１４は、熱交換部４１と、ヘッダ部４２と、を有する。
熱交換部４１は、第１の熱交換部４５と、第２の熱交換部４６と、第２の分断部４７と、を有する。
第１の熱交換部４５は、Ｚ方向に積み重ねられ、冷媒が流れる複数の熱交換用配管により構成されている。第１の熱交換部４５は、Ｘ方向他方側及びＹ方向一方側に位置する外気流通部本体２７Ａの内周面２７Ａａと接触するように、中空部２７Ｃ内に配置されている。
第１の熱交換部４５の上端面４５ａの高さは、カバー部３４の上端面３４ａの高さと等しくなるように構成されている。
【００３２】
第２の熱交換部４６は、Ｚ方向に積み重ねられ、冷媒が流れる複数の熱交換用配管により構成されている。第２の熱交換部４６は、Ｘ方向一方側及びＹ方向他方側に位置する外気流通部本体２７Ａの内周面２７Ａａと接触するように、中空部２７Ｃ内に配置されている。
第２の熱交換部４６の上端面４６ａの高さは、カバー部３４の上端面３４ａの高さと等しくなるように構成されている。
上記構成とされた第１及び第２の熱交換部４５，４６内を流れる冷媒は、外気流通部本体２７Ａを介して、外部から取り込まれた外気と熱交換する。
【００３３】
第２の分断部４７は、第１の分断部２７Ｂ側に配置された第１の熱交換部４５の端と第２の熱交換部４６の端との間に形成されている。第２の分断部４７は、第１の分断部２７Ｂと対向する位置に配置されており、Ｚ方向に延びている。
【００３４】
ヘッダ部４２は、第２の分断部４７に配置されており、Ｚ方向に延びている。ヘッダ部４２は、Ｚ方向に延びる第１の配管４２Ａと、第１の配管４２Ａから分岐され、第１の熱交換部４５または第２の熱交換部４６と接続された第２の配管４２Ｂと、を有する。
ヘッダ部４２は、第１及び第２の熱交換部４５，４６に冷媒を供給するとともに、第１及び第２の熱交換部４５，４６から熱交換に寄与した冷媒を回収する。
【００３５】
このように、第１及び第２の熱交換部４５，４６（２つの熱交換部）に共通のヘッダ部として１つのヘッダ部４２を用いることで、第２の分断部４７、カバー部３４、及び遮蔽板２３をそれぞれ２つ設ける必要がなく、第２の分断部４７、カバー部３４、及び遮蔽板２３をそれぞれ１つのみ設ければよいため、室外機ユニット１０の構成を簡略化させることができる。また、室外機ユニット１０の構成が簡略化されることで、室外機ユニット１０のコストを低減することができる。
【００３６】
ヘッダ部４２は、機器収容部３１内に収容された冷媒配管（図示せず）と接続されている。
Ｚ方向からヘッダ部４２を視た状態において、ヘッダ部４２には、外気が流れることの可能な隙間が複数形成されている。つまり、カバー部３４の横方向（特に、カバー部３４の下端部の横方向）から第２の分断部４７に流入した外気が、ヘッダ部４２を構成する第１及び第２の配管４２Ａ，４２Ｂの隙間を上方に通過して流れることの可能な構造とされている。
そして、第１及び第２の配管４２Ａ，４２Ｂの隙間を上方に通過して流れることで、外気の流速は、速くなる。
【００３７】
天板１６は、天板本体５１と、筒状突出部５３，５４と、を有する。
天板本体５１は、Ｘ方向を長手方向とする板状の部材である。天板本体５１は、Ｘ方向一方側に形成された円形の開口部５１Ａと、Ｘ方向他方側に形成された円形の開口部５１Ｂと、を有する。
上記構成とされた天板本体５１は、カバー部３４、枠部材３６，３７、支持部材３８，３９、第１の熱交換部４５、及び第２の熱交換部４６の上端に固定されている。
【００３８】
筒状突出部５３は、内側に形成された開口部５３Ａが開口部５１Ａと連通するように、天板本体５１の上面５１ａに設けられている。開口部５３Ａは、Ｚ方向において開口部５１Ａと対向している。
【００３９】
筒状突出部５４は、内側に形成された開口部５４Ａが開口部５１Ｂと連通するように、天板本体５１の上面５１ａに設けられている。開口部５４Ａは、Ｚ方向において開口部５１Ｂと対向している。
上述した開口部５１Ａ，５１Ｂ，５３Ａ，５４Ａは、外気流通部２７から取り込み、熱交換に寄与した外気を外気流通部２７の外部に吹き出すための開口部である。
【００４０】
軸流ファン１８は、モータ１８Ａと、一対のモータブラケット１８Ｂと、プロペラ１８Ｃと、を有する。モータ１８Ａは、開口部５１Ａの下方に配置されている。モータ１８Ａは、上方に延びる回転軸部１８ＡＢを有する。
一対のモータブラケット１８Ｂは、Ｕ字形状とされており、Ｙ方向に配置されている。一対のモータブラケット１８Ｂの両端は、天板本体５１の下面５１ｂ側に固定されている。一対のモータブラケット１８Ｂは、Ｘ方向に延びる中間部において、モータ１８Ａを支持している。
【００４１】
プロペラ１８Ｃは、回転軸部１８ＡＢに挿入された状態で固定されている。プロペラ１８Ｃは、Ｚ方向において開口部５１Ａ，５３Ａと対向している。プロペラ１８Ｃの下部は、天板本体５１の下面５１ｂよりも下方に配置されている。プロペラ１８Ｃは、回転軸部１８ＡＢとともに、回転軸Ｏ１を中心に回転する。
【００４２】
軸流ファン１９は、モータ１９Ａと、一対のモータブラケット１９Ｂと、プロペラ１９Ｃと、を有する。モータ１９Ａは、開口部５１Ａの下方に配置されている。モータ１９Ａは、上方に延びる回転軸部１９ＡＢを有する。
一対のモータブラケット１９Ｂは、Ｕ字形状とされており、Ｙ方向に配置されている。一対のモータブラケット１９Ｂの両端は、天板本体５１の下面５１ｂ側に固定されている。一対のモータブラケット１９Ｂは、Ｘ方向に延びる中間部において、モータ１９Ａを支持している。
【００４３】
プロペラ１９Ｃは、回転軸部１９ＡＢに挿入された状態で固定されている。プロペラ１９Ｃは、Ｚ方向において開口部５１Ｂ，５４Ａと対向している。プロペラ１９Ｃの下部は、天板本体５１の下面５１ｂよりも下方に配置されている。プロペラ１９Ｃは、回転軸部１９ＡＢとともに、回転軸Ｏ２を中心に回転する。
【００４４】
上記構成とされた軸流ファン１８，１９は、開口部５１Ａ，５１Ｂ，５３Ａ，５４Ａを介して、冷媒との熱交換に寄与した外気を外部に吹き出させる。
【００４５】
遮蔽板２３は、ヘッダ部４２よりも内側に配置されており、第２の分断部４７の両端（第１の熱交換部４５の端と第２の熱交換部４６の端）を接続している。遮蔽板２３は、第１の熱交換部４５の内面４５ｂと第２の熱交換部４６の内面４６ｂとに固定されている。
遮蔽板２３の上端は、天板本体５１の下面５１ｂと接続されている。遮蔽板２３は、天板本体５１の下面５１ｂから下方に延びている。
遮蔽板２３は、内面２３ａと、第２の分断部４７の上端部と対向する外面２３ｂと、を有する。
【００４６】
このように、ヘッダ部４２よりも内側に配置され、第２の分断部４７の両端（第１の熱交換部４５の端と第２の熱交換部４６の端）を接続するとともに、天板本体５１の下面５１ｂから下方に延びる遮蔽板２３を有することで、カバー部３４の横方向に位置する外気流通部２７から流入し、ヘッダ部４２内を上方に向かって流れた後、天板本体５１の下面５１ｂに案内されてプロペラ１８Ｃに向かう方向（プロペラ１８Ｃの半径方向）に流れる流速の速い外気をプロペラ１８Ｃの前段で遮断することが可能となる。
これにより、プロペラ１８Ｃの径方向外側からプロペラ１８Ｃの中心に向かって流れ込む外気の流速に差が生じることを抑制することが可能となるので、ＮＺ音の発生を抑制することができる。
【００４７】
遮蔽板２３の内面２３ａ及び外面２３ｂの形状は、例えば、プロペラ１８Ｃの回転軸Ｏ１を中心とする円（仮想円）に沿う湾曲形状してもよい。
【００４８】
このように、遮蔽板２３の内面２３ａ及び外面２３ｂの形状をプロペラ１８Ｃの回転軸Ｏ１を中心とする円（仮想円）に沿う湾曲形状とすることが好ましい。
【００４９】
また、遮蔽板２３の内面２３ａは、Ｚ方向に対して直交する方向においてプロペラ１８Ｃの下部と対向している。
このように、Ｚ方向に対して直交する方向においてプロペラ１８Ｃの下部と遮蔽板２３とが対向することで、プロペラ１８Ｃの下部に向かって流れる流速の速い外気を遮蔽板２３により遮断することができる。
【００５０】
遮蔽板２３の高さＨ１は、第１の熱交換部４５の端から第２の熱交換部４６の端に向かう方向において一定の高さとされている。
遮蔽板２３の高さＨ１は、室外機ユニット１０の構成要素の寸法等に応じて適宜設定することが可能であるが、例えば、５０ｍｍとすることが可能である。
図５及び図６では、遮蔽板２３の高さＨ１の一例として、遮蔽板２３の外面２３ｂと第２の分断部４７の上端部とが対向する程度の高さにした場合を例に挙げて図示したが、遮蔽板２３の高さＨ１は、これよりも高く（Ｚ方向に長く）設定してもよい。
【００５１】
第１の実施形態の室外機ユニット１０によれば、ヘッダ部４２よりも内側に配置され、第２の分断部４７の両端（第１の熱交換部４５の端と第２の熱交換部４６の端）を接続するとともに、天板本体５１の下面５１ｂから下方に延びる遮蔽板２３を有することで、カバー部３４の横方向（特に、カバー部３４の下端部の横方向）に位置する外気流通部２７から流入し、ヘッダ部４２内を上方に向かって流れた後、天板本体５１の下面５１ｂに案内されてプロペラ１８Ｃに向かう方向（プロペラ１８Ｃの半径方向）に流れる流速の速い外気をプロペラ１８Ｃの前段で遮断することが可能となる。
これにより、プロペラ１８Ｃの径方向外側からプロペラ１８Ｃの中心に向かって流れ込む外気の流速に差が生じることを抑制することが可能となるので、ＮＺ音の発生を抑制することができる。
【００５２】
なお、第１の実施形態では、遮蔽板の一例として、内面２３ａ及び外面２３ｂが湾曲面とされた遮蔽板２３を例に挙げて説明したが、遮蔽板２３に替えて、内面及び外面が仮想直線に対して直交する平面とされた遮蔽板を用いてもよい。
このような構成とされた遮蔽板を用いた場合もＮＺ音の発生を抑制することができる。
【００５３】
また、第１の実施形態では、一例として、第１及び第２の分断部２７Ｂ，４７を角部に配置させた場合を例に挙げて説明したが、第１及び第２の分断部２７Ｂ，４７を配置させる位置は、角部以外の位置でもよい。
【００５４】
次に、図７を参照して、第１の実施形態の変形例に係る室外機ユニット６０について説明する。図７において、図６に示す構造体と同一構成部分には、同一符号を付す。
【００５５】
室外機ユニット６０は、第１の実施形態の室外機ユニット１０を構成する遮蔽板２３に替えて、遮蔽板６１を有すること以外は、室外機ユニット１０と同様な構成とされている。
遮蔽板６１は、第１の熱交換部４５の端から第２の熱交換部４６の端に向かう方向において高さが高い部分と低い部分とが存在すること以外は、遮蔽板２３と同様な構成とされている。
【００５６】
遮蔽板６１は、プロペラ１８Ｃに向かう方向に流れる外気のうち、ＮＺ音の発生に大きく寄与する外気が流れる部分の高さを高くし、ＮＺ音の発生にあまり寄与しない外気が流れる部分の高さを低くなるように構成されている。
【００５７】
第１の実施形態の変形例に係る室外機ユニット６０によれば、上述したような高さの異なる部分を有する遮蔽板６１を備えることで、第１の実施形態の室外機ユニット１０と同様な効果を得ることができる。
【００５８】
なお、遮蔽板６１の高い部分と低い部分との位置や形状は、適宜選択することが可能であり、図７に示す構造に限定されない。
【００５９】
（第２の実施形態）
図８及び図９を参照して、第２の実施形態の室外機ユニット７０について説明する。図８において、図１に示す構造体と同一構成部分には、同一符号を付す。図９において、図４及び図８に示す構造体と同一構成部分には、同一符号を付す。
【００６０】
室外機ユニット７０は、第１の実施形態の室外機ユニット１０を構成する天板１６に替えて、天板７１を有するとともに、天板本体５１に対するプロペラ１８Ｃ，１９Ｃの高さ方向の位置を変えたこと以外は、室外機ユニット１０と同様な構成とされている。つまり、室外機ユニット７０は、図２、図５、及び図６に示す遮蔽板２３を有する。
【００６１】
天板７１は、第１の実施形態で説明した天板１６を構成する筒状突出部５３に替えて筒状突出部７３を有するとともに、筒状突出部５４に替えて筒状突出部７４を有すること以外は、天板１６と同様な構成とされている。
【００６２】
筒状突出部７３は、天板本体５１の上面５１ａを基準とした際のＺ方向に対する突出量（高さ）が筒状突出部５３よりも大きく（高く）なるように構成されている。
筒状突出部７３は、内側にプロペラ１８Ｃ全体を収容可能な大きさとされた開口部７３Ａを有する。
【００６３】
筒状突出部７４は、天板本体５１の上面５１ａを基準とした際のＺ方向に対する突出量（高さ）が筒状突出部５４よりも大きく（高く）なるように構成されている。
筒状突出部７４は、内側にプロペラ１９Ｃ全体を収容可能な大きさとされた開口部７４Ａを有する。
【００６４】
上述したように、プロペラ１８Ｃ，１９Ｃは、開口部７３Ａ，７４Ａに収容されているため、天板本体５１の下面５１ｂよりも下側には突出して配置されていない。
【００６５】
第２の実施形態の室外機ユニット７０によれば、遮蔽板２３を有することで、プロペラ１８Ｃ，１９Ｃの下端外周側から流速の速い外気が流入することを抑制可能となるので、ＮＺ音の発生を抑制することができる。
【００６６】
なお、第２の実施形態において、遮蔽板２３に替えて、図７に示す遮蔽板６１を用いてもよい。この場合、第２の実施形態の室外機ユニット７０と同様な効果を得ることができる。
【００６７】
以上、本発明の好ましい実施形態について詳述したが、本発明はかかる特定の実施形態に限定されるものではなく、特許請求の範囲内に記載された本発明の要旨の範囲内において、種々の変形・変更が可能である。
【００６８】
なお、第１及び第２の実施形態では、一例として、２つの軸流ファン１８，１９を有する室外機ユニット１０，６０，７０を例に挙げて説明したが、上述した遮蔽板２３，６１は、軸流ファンを１つ以上有する室外機ユニットに適用可能である。
【符号の説明】
【００６９】
１０，６０，７０…室外機ユニット
１１…筐体
１４…熱交換器
１６，７１…天板
１８，１９…軸流ファン
１８Ａ，１９Ａ…モータ
１８ＡＢ，１９ＡＢ…回転軸部
１８Ｂ，１９Ｂ…モータブラケット
１８Ｃ，１９Ｃ…プロペラ
２３，６１…遮蔽板
２３ａ，４５ｂ，４６ｂ…内面
２３ｂ…外面
２５…筐体本体
２７…外気流通部
２７Ａ…外気流通部本体
２７Ａａ…内周面
２７Ａｂ…外周面
２７Ａｃ，３４ａ，３６ａ，３７ａ，４５ａ，４６ａ…上端面
２７Ｂ…第１の分断部
２７Ｃ…中空部
３１…機器収容部
３１ａ，５１ａ…上面
３３…脚部
３４…カバー部
３６，３７…枠部材
３８，３９…支持部材
４１…熱交換部
４２…ヘッダ部
４２Ａ…第１の配管
４２Ｂ…第２の配管
４５…第１の熱交換部
４６…第２の熱交換部
４７…第２の分断部
５１…天板本体
５１Ａ，５１Ｂ，５３Ａ，５４Ａ，７３Ａ，７４Ａ…開口部
５１ｂ…下面
５３，５４，７３，７４…筒状突出部
Ｈ１…高さ
Ｏ１，Ｏ２…回転軸
【図１】
2019219136.tif 000003
【図２】
2019219136.tif 000004
【図３】
2019219136.tif 000005
【図４】
2019219136.tif 000006
【図５】
2019219136.tif 000007
【図６】
2019219136.tif 000008
【図７】
2019219136.tif 000009
【図８】
2019219136.tif 000010
【図９】
2019219136.tif 000011